(57)【要約】【課題】建設中の敷地内の各任意地点での風向風速を予測できるようにする。【解決手段】建設施工現場の敷地内に風観測基準点を設定し、風観測基準点で測定された過去の風向風速の測定データを日時情報とともに保存し、建設物の施工段階に応じた建設施工現場を含むその周辺領域での流体解析を行い、任意の日時において風観測基準点で測定された風向風速のデータと、風観測基準点で測定された過去の風向風速のデータと、建設施工現場に最も近い地域の天気予報情報とに基づいて、任意の日時から所定時間後の風観測基準点での風向風速を予測し、当該予測した風向に対応する流体解析結果である各任意地点の風向データを任意の日時から所定時間後の各任意地点での予測風向とするとともに、風観測基準点と各任意地点毎との風速比に予測した風速を掛けることで任意の日時から所定時間後の各任意地点での予測風速とする。【選択図】図２
2019007801.tif 000002
【特許請求の範囲】
【請求項１】
建設施工現場の敷地内に風観測基準点を設定する第１ステップと、
少なくとも風観測基準点で測定された過去の風向風速の測定データを日時情報とともに保存する第２ステップと、
建設物の施工段階に応じた建設施工現場を含むその周辺領域での流体解析を行う第３ステップと、
少なくとも任意の日時において風観測基準点で測定された風向風速のデータと、少なくとも風観測基準点で測定された過去の風向風速のデータと、建設施工現場に最も近い地域の天気予報情報とに基づいて、任意の日時から所定時間後の風観測基準点での風向風速を予測する第４ステップと、
第４ステップで予測した風向に対応する流体解析結果である各任意地点の風向データを任意の日時から所定時間後の各任意地点での予測風向とする第５ステップと、
風観測基準点と各任意地点毎との風速比に第４ステップで予測した風速を掛けることで任意の日時から所定時間後の各任意地点での予測風速とする第６ステップとを備えたことを特徴とする建設施工現場における風環境予測方法。
【請求項２】
風観測基準点に各風向の風が吹いたと想定して行った流体解析結果に基づく各任意地点での風向データと、風観測基準点に様々な風速の風が吹いたと想定して当該風観測基準点での想定した各風速に風観測基準点と各任意地点毎との風速比を掛けることで算出した各任意地点での風速データとを対応付けして、データベースに予め記憶させておき、
第４ステップで予測した任意の日時から所定時間後の風観測基準点での風向風速に対応する任意の日時から所定時間後の各任意地点での予測風向風速をデータベースから抽出することを特徴とする請求項１に記載の建設施工現場における風環境予測方法。
【請求項３】
風観測基準点は、周辺建物の影響を受けにくい位置に設定されることを特徴とする請求項１又は請求項２に記載の建設施工現場における風環境予測方法。
【請求項４】
風観測基準点は、建設施工現場の敷地内に設置されたタワークレーンのマストの上方側に設定されることを特徴とする請求項３に記載の建設施工現場における風環境予測方法。
【請求項５】
第４ステップにおいては、任意の日時において風観測基準点で測定された風向風速のデータ及び測定時の関連データとしての少なくとも温度情報、湿度情報と、風観測基準点で測定された過去の風向風速のデータ及び測定時の関連データとしての少なくとも温度情報、湿度情報と、建設施工現場に最も近い地域の天気予報情報とに基づいて、任意の日時から所定時間後の風観測基準点での風向風速を予測したことを特徴とする請求項１乃至請求項４のいずれか一項に記載の建設施工現場における風環境予測方法。
【請求項６】
建設施工現場の敷地内において周辺建物の影響を受けにくい位置に設定される風観測基準点に設置された風観測手段と、
少なくとも風観測手段により測定された風向風速の測定値を日時情報とともに記憶させた測定結果データベースと、
建設物の施工段階に応じた建設施工現場を含むその周辺領域での流体解析を行う流体解析手段と、
流体解析手段で解析された各任意地点での風向風速データを記憶させた流体解析結果データベースと、
制御装置とを備え、
制御装置は、
少なくとも任意の日時において風観測基準点で測定された風向風速のデータと、測定結果データベースに記憶されている少なくとも風観測基準点で測定された過去の風向風速のデータと、建設施工現場に最も近い地域の天気予報情報とに基づいて、任意の日時から所定時間後の風観測基準点での風向風速の予測データを求める第１の予測手段と、
第１の予測手段で求められた風向の予測データに対応する流体解析結果である各任意地点の風向データを流体解析結果データベースから抽出して任意の日時から所定時間後の各任意地点での予測風向とする第２の予測手段と、
風観測基準点と各任意地点毎との風速比に第１の予測手段で求められた風速の予測データを掛けることで任意の日時から所定時間後の各任意地点での予測風速を算出する第３の予測手段とを備えたことを特徴とする建設施工現場における風環境予測システム。
【請求項７】
風観測基準点に各風向の風が吹いたと想定して行った流体解析結果に基づく各任意地点での風向データと、風観測基準点に様々な風速の風が吹いたと想定して当該風観測基準点での想定した各風速に風観測基準点と各任意地点毎との風速比を掛けることで算出した各任意地点での風速データとが対応付けられて記憶されたデータベースを備え、
制御装置は、第１の予測手段で求められた任意の日時から所定時間後の風観測基準点での風向風速の予測データに対応する任意の日時から所定時間後の各任意地点での予測風向風速をデータベースから抽出することを特徴とする請求項６に記載の建設施工現場における風環境予測システム。
【発明の詳細な説明】
【技術分野】
【０００１】
本発明は、建設施工現場における任意の地点での風向風速を予測する方法等に関する。
【背景技術】
【０００２】
従来、建設前において施工計画の各施工段階に応じた建設施工現場を含むその周辺領域での流体解析（風解析）を実施して、風対策をとることが知られている（特許文献１参照）。
【先行技術文献】
【特許文献】
【０００３】
【特許文献１】特開２０１３−１７４９５２号公報
【発明の概要】
【発明が解決しようとする課題】
【０００４】
しかしながら、特許文献１では、建設前において施工計画の各施工段階に応じた建設施工現場を含むその周辺領域での流体解析をしているだけであり、実際の建設中に刻々と変化する各任意地点での風環境を予測するものではない。
本発明は、刻々と変化する建設中の敷地内の各任意地点での風環境、即ち、各任意地点での風向風速を予測できるようにした建設施工現場における風環境予測方法等を提供するものである。
【課題を解決するための手段】
【０００５】
本発明に係る建設施工現場における風環境予測方法は、建設施工現場の敷地内に風観測基準点を設定する第１ステップと、少なくとも風観測基準点で測定された過去の風向風速の測定データを日時情報とともに保存する第２ステップと、建設物の施工段階に応じた建設施工現場を含むその周辺領域での流体解析を行う第３ステップと、少なくとも任意の日時において風観測基準点で測定された風向風速のデータと、少なくとも風観測基準点で測定された過去の風向風速のデータと、建設施工現場に最も近い地域の天気予報情報とに基づいて、任意の日時から所定時間後の風観測基準点での風向風速を予測する第４ステップと、第４ステップで予測した風向に対応する流体解析結果である各任意地点の風向データを任意の日時から所定時間後の各任意地点での予測風向とする第５ステップと、風観測基準点と各任意地点毎との風速比に第４ステップで予測した風速を掛けることで任意の日時から所定時間後の各任意地点での予測風速とする第６ステップとを備えたことを特徴とするので、刻々と変化する建設中の敷地内の各任意地点での風環境、即ち、風向風速を予測でき、建設施工現場における施工管理や、強風などによる事故防止等の安全管理を適切に行うことが可能となる。
また、風観測基準点に各風向の風が吹いたと想定して行った流体解析結果に基づく各任意地点での風向データと、風観測基準点に様々な風速の風が吹いたと想定して当該風観測基準点での想定した各風速に風観測基準点と各任意地点毎との風速比を掛けることで算出した各任意地点での風速データとを対応付けして、データベースに予め記憶させておき、第４ステップで予測した任意の日時から所定時間後の風観測基準点での風向風速に対応する任意の日時から所定時間後の各任意地点での予測風向風速をデータベースから抽出するので、任意の日時から所定時間後の各任意地点での予測風向風速をデータベースから抽出できるようになり、任意の日時から所定時間後の各任意地点での風向風速の予測の高速化が可能となる。
風観測基準点は、周辺建物の影響を受けにくい位置に設定されるので、精度の高い予測を行えるようになる。
特に、風観測基準点は、建設施工現場の敷地内に設置されたタワークレーンのマストの上方側に設定されることにより、建設施工現場における各任意地点での風向及び風速の予測として、より精度の高い予測を行えるようになる。
また、第４ステップにおいては、任意の日時において風観測基準点で測定された風向風速のデータ及び測定時の関連データとしての少なくとも温度情報、湿度情報と、風観測基準点で測定された過去の風向風速のデータ及び測定時の関連データとしての少なくとも温度情報、湿度情報と、建設施工現場に最も近い地域の天気予報情報とに基づいて、任意の日時から所定時間後の風観測基準点での風向風速を予測したので、任意の日時から所定時間後の各任意地点での風向風速の予測を、より正確に行えるようになる。
本発明に係る建設施工現場における風環境予測システムは、建設施工現場の敷地内において周辺建物の影響を受けにくい位置に設定される風観測基準点に設置された風観測手段と、少なくとも風観測手段により測定された風向風速の測定値を日時情報とともに記憶させた測定結果データベースと、建設物の施工段階に応じた建設施工現場を含むその周辺領域での流体解析を行う流体解析手段と、流体解析手段で解析された各任意地点での風向風速データを記憶させた流体解析結果データベースと、制御装置とを備え、制御装置は、少なくとも任意の日時において風観測基準点で測定された風向風速のデータと、測定結果データベースに記憶されている少なくとも風観測基準点で測定された過去の風向風速のデータと、建設施工現場に最も近い地域の天気予報情報とに基づいて、任意の日時から所定時間後の風観測基準点での風向風速の予測データを求める第１の予測手段と、第１の予測手段で求められた風向の予測データに対応する流体解析結果である各任意地点の風向データを流体解析結果データベースから抽出して任意の日時から所定時間後の各任意地点での予測風向とする第２の予測手段と、風観測基準点と各任意地点毎との風速比に第１の予測手段で求められた風速の予測データを掛けることで任意の日時から所定時間後の各任意地点での予測風速を算出する第３の予測手段とを備えたことを特徴とするので、刻々と変化する建設中の敷地内の各任意地点での風向風速を予測でき、建設施工現場における施工管理や、強風などによる事故防止等の安全管理を適切に行うことが可能となる。
また、風環境予測システムは、風観測基準点に各風向の風が吹いたと想定して行った流体解析結果に基づく各任意地点での風向データと、風観測基準点に様々な風速の風が吹いたと想定して当該風観測基準点での想定した各風速に風観測基準点と各任意地点毎との風速比を掛けることで算出した各任意地点での風速データとが対応付けられて記憶されたデータベースを備え、制御装置は、第１の予測手段で求められた任意の日時から所定時間後の風観測基準点での風向風速の予測データに対応する任意の日時から所定時間後の各任意地点での予測風向風速をデータベースから抽出するので、任意の日時から所定時間後の各任意地点での予測風向風速をデータベースから抽出できるようになり、任意の日時から所定時間後の各任意地点での風向風速の予測の高速化が可能となる。
【図面の簡単な説明】
【０００６】
【図１】風環境予測システムを示す図。
【図２】風環境予測方法の手順を示す図。
【図３】流体解析結果データベースに記憶された各任意地点の風向風速データの例を示す図。
【図４】予測データの表示例を示す図。
【図５】流体解析結果データベースに記憶された各任意地点の風向風速データの例を示す図。
【発明を実施するための形態】
【０００７】
実施形態１
実施形態１に係る建設施工現場における風環境予測システムは、図１に示すように、建設施工現場１の敷地内の任意の位置に決められた風観測基準点２と、風観測基準点２に設置された風観測手段２Ａと、建設物２０の施工段階に応じた建設施工現場１を含むその周辺領域での流体解析を行う流体解析手段（風解析手段）３と、流体解析手段３で解析された各任意地点での風向風速データを記憶させた流体解析結果データベース４Ａと、風観測手段２Ａにより測定された過去の風向風速データ及び関連データを日時情報とともに記憶させた測定結果データベース４Ｂと、制御装置５とを備える。
【０００８】
風観測基準点２は、建設施工現場１の敷地内において周辺建物の影響を受けにくい位置、例えば、建設施工現場１の敷地内に設置されたタワークレーン１０のマスト１１の上端に設けられたクレーン本体１２の設置面１３上とし、当該設置面１３に風向風速計等の風観測手段２Ａを設置することで、当該風観測手段２Ａにより風観測基準点２での風向及び風速の測定を行った。即ち、風観測基準点２を、建設施工現場１の敷地内に設置されたタワークレーン１０のマスト１１の上端側に設定した。
このように、周辺建物の影響を受けにくい位置に風観測基準点２を決めることにより、各任意地点での風向及び風速の予測として、精度の高い予測を行えるようになる。
特に、風観測基準点２を、建設施工現場１の敷地内に設置されたタワークレーン１０のマスト１１の上方側に設定したことにより、建設施工現場１における各任意地点での風向及び風速の予測として、より精度の高い予測を行えるようになる。
【０００９】
尚、任意地点とは、例えば施工段階に応じて形状が変化していくマンション等のスラブ上の各地点、外壁上の各地点、敷地内の各地点などである。
【００１０】
流体解析手段３は、コンピュータ（プロセッサ）と、コンピュータに流体解析を行わせる流体解析ソフトウエアとにより構成される。
制御装置５は、コンピュータと、コンピュータに各任意地点での風向風速の予測データを得るための処理を行わせるソフトウエアとにより構成される。
図１中、３ａ；５ａは表示装置である。尚、流体解析手段３及び制御装置５を、各ソフトウエアとこれら各ソフトウエアを実行する１台のコンピュータとで構成してもよい。
【００１１】
図２に基づいて、風環境予測システムを用いた建設施工現場１における風環境予測方法の手順について説明する。
まず、準備段階Ｐにおいては、風観測基準点２を決定する（ステップＳ１（第１ステップ））。
そして、例えば施工前数年の間、風観測手段２Ａで所定時間毎(例えば１時間毎）に風向風速を測定し、その測定された過去の風向風速データ（風向情報及び風速値）を日時情報（年月日）とともに記憶させた測定結果データベース４Ｂを作成する（ステップＳ２（第２ステップ））。
また、施工計画の各施工段階に応じた建設施工現場１を含むその周辺領域での流体解析を実施して（ステップＳ３（第３ステップ））、流体解析により得られた風向風速データを記憶させた流体解析結果データベース４Ａを作成する（ステップＳ４）。
【００１２】
施工計画の各施工段階に応じた流体解析は、風観測基準点２に各風向（例えば、東西南北を基準とした４風向、又は８風向、又は１６風向等）から風が吹いた場合を想定して実施した。
【００１３】
尚、流体解析では、風観測基準点２、及び、建設物２０の施工段階に応じた複数の任意地点が三次元座標で管理されている。
そして、流体解析された各任意地点毎の風向風速データが流体解析結果データベース４Ａに記憶させてある。
流体解析結果データベース４Ａに記憶されている各任意地点毎の風向風速データは、図３に示すように、例えばＸ方向、Ｙ方向、Ｚ方向の単位ベクトル及び風速比である。
【００１４】
そして、施工時Ｅにおいては、風観測手段２Ａにより風観測基準点２における風観測を行い（ステップＳ５）、制御装置５は、風観測基準点２での風向風速の予測データを求めた（ステップＳ６）後、当該風観測基準点２での風向風速の予測データに基づいて各任意地点での風向風速の予測データを求める（ステップＳ７）。
【００１５】
即ち、制御装置５は、風観測基準点２での風向風速を予測する第１の予測手段と、当該風観測基準点２での風向の予測データに基づいて各任意地点での風向を予測する第２の予測手段と、当該風観測基準点２での風速の予測データに基づいて各任意地点での風速を予測する第３の予測手段とを備える。
【００１６】
第１の予測手段は、任意の日時において風観測基準点２で測定された風向風速のデータと、任意の日時よりも前に風観測基準点２で測定されて測定結果データベース４Ｂに保存されている過去の風向風速のデータと、建設施工現場１に最も近い地域の天気予報情報６の風向風速情報とに基づいて、任意の日時から所定時間後の風観測基準点２での風向風速の予測データを求める（ステップＳ６（第４ステップ））。尚、建設施工現場１に最も近い地域の天気予報情報６は、例えば操作者が制御装置５を用いてインターネットを介して入手する。
【００１７】
任意の日時、例えば、Ｘ年Ｘ月Ｘ日のＸ時現在において風観測基準点２での測定結果が、Ｘ向き（風向）、Ｘｍ／ｓ（風速）である場合において、Ｘ年Ｘ月Ｘ日のＸ時現在から所定時間後の風観測基準点２での風向風速を予測する手順の一例について説明する。
第１の予測手段は、まず、風観測基準点２で測定されて測定結果データベース４Ｂに蓄積されている風向風速の過去のデータを検索して、過去数年分のＸ月Ｘ日のＸ時から前後の所定期間内の１日毎のデータを抽出する。例えば過去数年分のＸ月Ｘ日のＸ時から前後１週間の間における１日毎のデータを抽出する。
そして、抽出したこれら１日毎のデータの中で、Ｘ時のデータが、任意の日時であるＸ月Ｘ日のＸ時に風観測基準点２で測定された風向風速データに近いという条件１、及び、抽出したこれら１日毎のデータの中で、Ｘ時から所定時間後のデータが、建設施工現場１に最も近い地域の天気予報情報６におけるＸ時から所定時間後の風向風速情報に近いという条件２を満たす、特定の１日のデータを抽出する。例えば、条件1の一致度を数値化するとともに条件２の一致度を数値化して、条件１の一致度を示す数値＋条件２の一致度を示す数値＝評価値として、この評価値が大きい程、一致度が高いと判定することにより、一致度が最も高くなる、Ｘ時のデータ及びＸ時から所定時間後のデータの組み合わせを持つ特定の１日のデータを抽出する。
そして、この抽出した特定の１日のＸ時から所定時間後の風向風速のデータを、Ｘ月Ｘ日のＸ時から所定時間後の風観測基準点２での風向風速の予測データとして決定する。
【００１８】
第２の予測手段は、第１の予測手段により求められた風観測基準点２での風向の予測データと、流体解析結果データベース４Ａに記憶されている各任意地点での風向データとに基づいて、任意の日時から所定時間後の各任意地点での風向の予測データを求める（ステップＳ７（第５ステップ））。
即ち、第２の予測手段は、第１の予測手段で求められた風観測基準点２での風向の予測データに対応する流体解析結果である各任意地点の風向データを流体解析結果データベース４Ａから抽出して任意の日時から所定時間後の各任意地点での風向の予測データ（予測風向）として決定する。
【００１９】
例えば、任意の日時において風観測基準点２で風速Ｘｍ／ｓの北風が測定され、第１の予測手段により、任意の日時から所定時間後の風観測基準点２での風向が北北東であると予測された場合、任意の日時での施工段階を想定して行った流体解析において風観測基準点２に北北東の風が吹いたと想定して求めた各任意地点での流体解析データを参照する。
そして、当該各任意地点での流体解析データによって、任意の日時から所定時間後にある任意地点では北北東の風が吹き、任意の日時から所定時間後にある任意地点では北東の風が吹くなどというような、任意の日時から所定時間後の各任意地点での風向を予測できるようになる。
【００２０】
第３の予測手段は、第１の予測手段により求められた風観測基準点２での風速の予測データと、流体解析結果データベース４Ａに記憶されている各任意地点での風速データ（風速比）とに基づいて、任意の日時から所定時間後の各任意地点での風速の予測データを求める（ステップＳ７（第６ステップ））。
即ち、第３の予測手段は、風観測基準点２と各任意地点毎との風速比に第１の予測手段で求められた風速の予測データの値を掛けることで任意の日時から所定時間後の各任意地点での風速の予測データ（予測風速）を算出する。
【００２１】
風速比は、流体解析においての、各任意地点での風速を、風観測基準点２での風速で割った値である。
尚、流体解析において風速比を求めるための風観測基準点２の位置座標と実際の風観測基準点２の位置座標とを一致させている。
【００２２】
そして、求められた各任意地点での風向風速の予測データに基づいて、任意の日時から所定時間後の各任意地点での風向風速の予測情報を表示装置５ａに表示する（ステップＳ８）。
つまり、上述したように求められた各任意地点での風向及び風速の予測データにより、任意の日時から所定時間後の各任意地点での風向及び風速を示すベクトルが求められる。
この各任意地点での風向及び風速を示すベクトルを用いて、例えば、図４（ａ）に示すような任意地点の水平断面における風速分布（任意の日時から所定時間後の任意地点での風速分布の予測情報）を表示したり、図４（ｂ）に示すような任意地点の水平断面におけるベクトル（任意の日時から所定時間後の任意地点での風向風速の予測情報）を表示したり、図４（ｃ）に示すような任意地点の垂直断面におけるベクトル（任意の日時から所定時間後の任意地点での風向風速の予測情報）を表示することができ、建設中の各任意地点での任意の日時から所定時間後の風向風速の予測、即ち、風環境の予測を行えるようになる。
【００２３】
実施形態１による建設施工現場における風環境予測方法、及び、風環境予測システムによれば、建設施工中において、任意の日時から所定時間後の風観測基準点２での風向風速の予測データを求めた後、当該風観測基準点２での風向風速の予測データに基づいて任意の日時から所定時間後の各任意地点での風向風速の予測データを求めることが特許文献１と異なる。
即ち、実施形態１では、刻々と変化する建設中の敷地内の各任意地点での風環境、即ち、風向風速を予測できる。例えば、建物の各階スラブ上等の風向及び風速を予測できるようになる。
このように、刻々と変化する建設中の敷地内の各任意地点での風環境、即ち、風向風速を予測できるようになれば、建設施工現場における施工管理や、強風などによる事故防止等の安全管理を適切に行うことが可能となる。
【００２４】
実施形態２
実施形態１では、流体解析結果データベース４Ａに、各任意地点毎の風速データとして、風観測基準点２と各任意地点毎との風速比を記憶させておいて、この風観測基準点２と各任意地点毎との風速比に、第４ステップで予測した風観測基準点２での風速予測データを掛けることによって、任意の日時から所定時間後の各任意地点での予測風速を計算して求めるようにしたが、以下のように、任意の日時から所定時間後の各任意地点での予測風速を求めるようにしてもよい。
まず、例えば図５に示すように、風観測基準点２に各風向の風が吹いたと仮定して行った流体解析結果に基づく各任意地点での風向データと、風観測基準点２に様々な風速の風が吹いたと想定して当該風観測基準点２での想定した各風速に風観測基準点２と各任意地点毎との風速比を掛けることで算出した各任意地点での風速データとを対応付けしたデータベース４Ｘを予め作成しておく。即ち、風観測基準点２での各風向風速データと当該風観測基準点２での各風向風速データに対応する各任意地点での風向風速データとをデータベース４Ｘに関連付けして予め記憶させておく。尚、データベース４Ｘは、第４ステップを行う前の段階までに作成しておく（例えば、実施形態１で説明した準備段階Ｐにおいてデータベース４Ｘを作成しておく）。
そして、実施形態１の第４ステップで予測した任意の日時から所定時間後の風観測基準点２での風向風速に対応する任意の日時から所定時間後の各任意地点での予測風向風速をデータベース４Ｘから抽出する。
【００２５】
例えば、図５に示すように、風観測基準点２での風向を１６風向とし、１６風向毎に、風速を０．１ｍ／ｓずつ増加させた場合の、風観測基準点２での風向風速に対する各任意地点での風向風速を予め記憶させたデータベース４Ｘを作成しておく。
尚、風観測基準点２での各風向に対する各任意地点での風向は上述した流体解析で求められる。
また、風観測基準点２での各風速に対する各任意地点での風速は、当該風観測基準点２で吹くと想定した様々な風速、即ち、０．１ｍ／ｓずつ増加させた各風速に風観測基準点と各任意地点毎との風速比を掛けることで算出する。
そして、制御装置５が、第４ステップで予測した任意の日時から所定時間後の風観測基準点２での風向風速のデータをデータベース４Ｘに照合して、当該風観測基準点２での風向風速のデータに対応した各任意地点での風向風速のデータを抽出し、抽出した風向風速のデータを任意の日時から所定時間後の各任意地点での予測風向風速とする。
【００２６】
尚、第４ステップで予測した風観測基準点２での風速予測データの小数点第二位以下は四捨五入してデータベース４Ｘに照合する。
例えば、第４ステップで予測した風観測基準点２での風向風速予測データが、風向「北」、風速０．１３３ｍ／ｓであった場合、図５のデータベース４Ｘにおいて、風観測基準点風向「北」、風観測基準点風速「０．１（ｍ／ｓ）」に対応した各任意地点での風向風速のデータが、任意の日時から所定時間後の各任意地点での予測風向風速として抽出される。
例えば、図５に示すように、任意地点０での予測風向風速として北北東０．１５（ｍ／ｓ）、任意地点１での予測風向風速として北東０．０８（ｍ／ｓ）、任意地点２での予測風向風速として北北西０．１３（ｍ／ｓ）、任意地点ｎでの予測風向風速として北西０．２１（ｍ／ｓ）が抽出される。
【００２７】
実施形態２によれば、実施形態１と同じ効果が得られるとともに、任意の日時から所定時間後の各任意地点での予測風向風速をデータベース４Ｘから抽出するので、任意の日時から所定時間後の各任意地点での風向風速の予測の高速化が可能となる。
【００２８】
尚、上記では、第１の予測手段により、任意の日時から所定時間後の風観測基準点２での風向風速の予測データを、任意の日時において風観測基準点２で測定された風向風速のデータと、任意の日時よりも前に風観測基準点２で測定されて測定結果データベース４Ｂに保存されている過去の風向風速のデータと、建設施工現場１に最も近い地域の天気予報情報の風向風速情報とに基づいて求める例を示したが、任意の日時において風観測基準点２で測定された風向風速のデータ及び測定時の温度情報、湿度情報等の関連データと、測定結果データベース４Ｂに記憶された過去の日時毎の風向風速のデータ及び測定時の温度情報、湿度情報等の関連データとを参照して、任意の日時から所定時間後の風観測基準点２での風向風速を予測することにより、温度情報、湿度情報等の関連データに基づいて、任意の日時から所定時間後の各任意地点での風向風速の予測を、より正確に行えるようになる。
即ち、本願発明では、少なくとも任意の日時において風観測基準点２で測定された風向風速のデータと、少なくとも風観測基準点２で測定された過去の風向風速のデータと、建設施工現場に最も近い地域の天気予報情報とに基づいて、任意の日時から所定時間後の風観測基準点での風向風速を予測するようにすればよいが、さらに、温度情報、湿度情報等の関連データを関連付けて任意の日時から所定時間後の風観測基準点２での風向風速を予測するようにすれば、任意の日時から所定時間後の各任意地点での風向風速の予測を、より正確に行えるようになる。
つまり、第４ステップで、任意の日時において風観測基準点２で測定された風向風速のデータ及び測定時の関連データとしての少なくとも温度情報、湿度情報と、風観測基準点２で測定された過去の風向風速のデータ及び測定時の関連データとしての少なくとも温度情報、湿度情報と、建設施工現場に最も近い地域の天気予報情報とに基づいて、任意の日時から所定時間後の風観測基準点での風向風速を予測することによって、任意の日時から所定時間後の各任意地点での風向風速の予測を、関連データを加味して行えるようになるから、より正確に、任意の日時から所定時間後の各任意地点での風向風速の予測を行えるようになる。
例えば、施工前数年の間、風観測基準点２で所定時間毎(例えば１時間毎）に風向風速を測定し、その測定された過去の風向風速データ及び測定時の少なくとも温度情報、湿度情報を日時情報（年月日）とともに記憶させた測定結果データベース４Ｂを作成しておき、当該測定結果データベース４Ｂを検索して、任意の日時において風観測基準点２で測定された風向風速のデータ及び測定時の温度情報、湿度情報に近い風向風速のデータ及び温度情報、湿度情報を抽出するようにすれば、任意の日時から所定時間後の各任意地点での風向風速の予測をより正確に行えるようになる。
尚、関連データとして、温度情報、湿度情報に加えて、さらに、天候情報、その他の環境情報等を用いて、任意の日時から所定時間後の各任意地点での風向風速の予測を行うようにしてもよい。
【００２９】
また、制御装置５を操作する操作者が、少なくとも任意の日時において風観測基準点２で測定された風向風速のデータと、少なくとも任意の日時よりも前に風観測基準点２で測定されて測定結果データベース４Ｂに保存されている過去の風向風速のデータと、建設施工現場１に最も近い地域の天気予報情報６とを参照して、任意の日時から所定時間後の風観測基準点２での風向風速の予測データを決めるようにしてもよい。
【符号の説明】
【００３０】
１  建設施工現場、２  風観測基準点、２Ａ  風観測手段、３  流体解析手段、
４Ａ  流体解析結果データベース、４Ｂ  測定結果データベース、４Ｘ  データベース、５  制御装置、６  天気予報情報。
【図１】
2019007801.tif 000003
【図２】
2019007801.tif 000004
【図３】
2019007801.tif 000005
【図４】
2019007801.tif 000006
【図５】
2019007801.tif 000007